(57)【特許請求の範囲】
【請求項１】
浴室内の空気を吸引するファンと、このファンの動作を制御する本体制御部とを有する機器本体と、
前記機器本体と相互通信可能であり、使用者が操作する入力手段と、この入力手段の操作に基いて前記機器本体に向けて前記ファンの動作指令を送信するリモコン制御部とを有するリモコンと、
から構成され、
前記本体制御部には、通電が開始されてからの通電積算時間を計時する本体計時手段と、この本体計時手段によって計時された通電積算時間を記憶する不揮発性の本体不揮発性メモリとを備え、
前記リモコン制御部には、前記本体制御部から送信された通電積算時間を記憶する不揮発性のリモコン不揮発性メモリを備えた浴室空調機において、
前記本体制御部は、前記本体不揮発性メモリに記憶された通電積算時間を前記リモコン制御部へ向けて送信すると共に、前記リモコン制御部から送信されてきた通電積算時間を受信し、受信した通電積算時間が前記本体不揮発性メモリに記憶されている通電積算時間よりも長い値であると前記本体不揮発性メモリに記憶されている通電積算時間を受信した通電積算時間に更新すると共に、
前記リモコン制御部は、給電が開始されてから所定時間の間は、前記本体制御部から送信されてきた通電積算時間による前記リモコン不揮発性メモリへの記憶処理を禁止し、
前記リモコンには表示手段を備え、前記リモコン制御部は、給電が開始されてから所定時間の間は、前記本体制御部から送信されてきた通電積算時間を前記表示手段により表示可能であるが、その送信されてきた通電積算時間の前記リモコン側メモリへの記憶処理を禁止することを特徴とする浴室空調機。
【請求項２】
前記リモコン制御部は、給電が開始されてから所定時間の間において、メンテナンス作業の終了に伴う特定の入力が前記入力手段によって行われると、その時点で本体制御部から送信されてきた通電積算時間を前記リモコン不揮発性メモリへ更新記憶することを特徴とする請求項１記載の浴室空調機。
【請求項３】
前記リモコン制御部は、メンテナンス作業の終了に伴う特定の入力が前記入力手段によって行われると、それをステータス情報として前記リモコン不揮発性メモリに記憶し、前記リモコン不揮発性メモリに記憶されている通電積算時間が所定時間を超えた際に、ステータス情報が記憶されていないとアラームを表示し、ステータス情報が記憶されているとアラームの表示は行わないことを特徴とする請求項１記載の浴室空調機。
【発明の詳細な説明】
【技術分野】
【０００１】
本発明は、浴室の天井に埋め込んだ状態で取り付けられる浴室空調機に関する。
【背景技術】
【０００２】
家屋に設置され、内蔵したファンにより空調を行う設備機器として、その点検時期を知らせるために、機器の運転時間を積算して知らせるようにしたものが知られている。その、運転時間としては、ファンが回転動作している時間をカウントするするものや、装置へ通電されている時間をカウントすることが提案されている。
【０００３】
また、運転時間は設備機器への電源供給が遮断されても失われないように不揮発性の不揮発性メモリへ記憶され、また、不揮発性メモリを、ファンを備えた機器本体の制御部の他に、入力手段を備えたリモコンの制御部にも内蔵しておき、メンテナンス時に機器本体の制御部を交換した場合でも、リモコン側の制御部に記憶されている運転時間を引き継ぐようにして、メンテナンス時に運転時間の記憶値が失われないようにする工夫が行われている（特許文献１）。
【先行技術文献】
【特許文献】
【０００４】
【特許文献１】特開２００９−１４３０２号公報
【発明の概要】
【発明が解決しようとする課題】
【０００５】
先行文献１によると、リモコン側の不揮発性メモリへのバックアップ記憶は、運転の停止時にも行われるので、メンテナンス時に、メンテナンス作業者が持参しているリモコンを暫定的に機器本体と繋いで運転の開始後に停止を行うと、機器本体側の不揮発性メモリに記憶された値によって、その暫定利用のリモコンの不揮発性メモリの記憶値が更新されてしまい、その記憶されたリモコンが他の現場で、新品の不揮発性メモリを搭載した機器本体と繋がれると、機器本体側不揮発性メモリがリモコン側の不揮発性メモリ値で書き換わってしまうという問題があった。
【０００６】
本発明は、上記問題を解決するためになされたもので、本発明の課題は、メンテナンス作業中の一時的な空調機本体とリモコンとの接続状態において、リモコンに内蔵された不揮発性メモリの運転時間の記憶値が空調機本体に記憶されている運転時間によって書き換わってしまうことを防止して、メンテナンス作業者が多くの現場で同じリモコンを使ってメンテナンス作業を行うことを可能するものである。
【課題を解決するための手段】
【０００７】
上記課題を解決するために、本発明に係る浴室空調機によれば、浴室内の空気を吸引するファンと、このファンの動作を制御する本体制御部とを有する機器本体と、前記機器本体と相互通信可能であり、使用者が操作する入力手段と、この入力手段の操作に基いて前記機器本体に向けて前記ファンの動作指令を送信するリモコン制御部とを有するリモコンと、から構成され、前記本体制御部には、通電が開始されてからの通電積算時間を計時する本体計時手段と、この本体計時手段によって計時された通電積算時間を記憶する不揮発性の本体不揮発性メモリとを備え、前記リモコン制御部には、前記本体制御部から送信された通電積算時間を記憶する不揮発性のリモコン不揮発性メモリを備えた浴室空調機において、前記本体制御部は、前記本体不揮発性メモリに記憶された通電積算時間を前記リモコン制御部へ向けて送信すると共に、前記リモコン制御部から送信されてきた通電積算時間を受信し、受信した通電積算時間が前記本体不揮発性メモリに記憶されている通電積算時間よりも長い値であると前記本体不揮発性メモリに記憶されている通電積算時間を受信した通電積算時間に更新すると共に、前記リモコン制御部は、給電が開始されてから所定時間の間は、前記本体制御部から送信されてきた通電積算時間による前記リモコン不揮発性メモリへの記憶処理を禁止し、前記リモコンには表示手段を備え、前記リモコン制御部は、給電が開始されてから所定時間の間は、前記本体制御部から送信されてきた通電積算時間を前記表示手段により表示可能であるが、その送信されてきた通電積算時間の前記リモコン側メモリへの記憶処理を禁止することを特徴とする。
【０００８】
従って、リモコン制御部は、給電が開始されてから所定時間の間は、前記機器本体から送信されてきた通電積算時間による前記リモコン不揮発性メモリへの更新記憶を禁止することでメンテナンス者業者が持参しているリモコン不揮発性メモリへ記憶されている運転時間をゼロに保つことが出来る。従って、その暫定的に接続されたリモコンを他のメンテナンス現場で別の空調機本体とつなぐ際に、そのリモコン不揮発性メモリを強制的にゼロリセットする必要がなく、メンテナンス作業性が向上し、また、ゼロリセットを忘れて本体不揮発性メモリがリモコン側メモリ値で書き換わってしまい、誤った総通電時間に基くアラーム発生してしまうこともない。
【０００９】
また、空調機本体の通電積算時間を確認することができるので、その通電積算時間に応じたメンテナンス作業を行うことが可能である。
【００１０】
また、本発明に係る浴室空調機によれば、前記リモコン制御部は、給電が開始されてから所定時間の間において、メンテナンス作業の終了に伴う特定の入力が前記入力手段によって行われると、その時点で本体制御部から送信されてきた通電積算時間を前記リモコン不揮発性メモリへ更新記憶することを特徴とする。
従って、メンテナンス作業の終了を入力するとリモコン不揮発性メモリが強制的に更新記憶されるため、確実にリモコン不揮発性メモリに本体不揮発性メモリの記憶内容をバックアップすることができる。
【００１１】
また、本発明に係る浴室空調機によれば、前記リモコン制御部は、メンテナンス作業の終了に伴う特定の入力が前記入力手段によって行われると、それをステータス情報として前記リモコン不揮発性メモリに記憶し、前記リモコン不揮発性メモリに記憶されている通電積算時間が所定時間を超えた際に、ステータス情報が記憶されていないとアラームを表示し、ステータス情報が記憶されているとアラームの表示は行わないことを特徴とする。
従って、ステータス情報もリモコン不揮発性メモリに記憶されて引き継がれるため、そのステータス情報を呼び出すことで、メンテナンス作業を行いやすくなる。
【発明の効果】
【００１２】
本発明によれば、メンテナンス時に機器本体の制御部を交換した場合でも、メンテナンス作業者は、特別な注意をすることなく、メンテナンス用のリモコンを使用して作業を行っても、確実に積算通電時間をが引き継ぐことが出来るという効果がある。
【図面の簡単な説明】
【００１３】
【図１】本発明に関わる浴室空調機の全体構成を示すブロック図である。。
【図２】本発明の機器本体の動作を示すフローチャートである。
【図３】本発明のリモコンの動作を示すフローチャートである。
【発明を実施するための形態】
【００１４】
図１は本技術に関わる浴室空調機Aの全体構成を示すブロック図である。
【００１５】
図１に示すように、浴室空調機Aは商用電源によって駆動される浴室Yに設置された機器本体１と、この機器本体１から給電され、機器本体１と通信可能なリモコン９とから構成されている。
機器本体１は、浴室Yの天井に設置され、リモコン９は洗面所Sに設置され、両者は有線接続されている。ここで図示は省略するが、交流１００Ｖの商用電源は機器本体１に供給されており、この機器本体内部で整流降圧された直流５Ｖがリモコン９の駆動電源として供給されている。
【００１６】
機器本体１は、浴室Y内の空気を吸込むファン及びファンによって吸込まれた空気を電気ヒータによって加熱処理する処理部からなる負荷６と、前記負荷６の動作を制御する本体マイコン３と、この本体マイコン３への通電時間を計時する本体計時手段４と、この本体計時手段４からの通電時間を積算して記憶する不揮発性の本体不揮発性メモリ５と、本体不揮発性メモリ５から読み出した通電時間を記憶しておく本体ＲＡＭ８とを備えた本体制御部２が制御基板として交換可能に設けられている。
【００１７】
リモコン９は、使用者が押しボタン等の入力手段１６を操作すると、その操作に基く制御信号をリモコンマイコン１２によって生成し、通信手段１１によって前記機器本体１へ送信する。
また、リモコン９は不揮発性のリモコン不揮発性メモリ１４とリモコンＲＡＭ１３と、リモコン表示手段１５とを備えたリモコン制御部１０が制御基板として交換可能に設けられている。
【００１８】
通電時間は、機器本体１の本体計時手段４により、１時間単位でカウントアップされる。
機器本体１は、本体計時手段４で積算している通電時間が、カウントアップすると、本体不揮発性メモリ５に、カウントアップされた通電時間を記憶するとともに、通信手段２によって、カウントアップされた通電時間をリモコン９に送信する。リモコン９は、機器本体１から受け取った通電時間を、リモコン不揮発性メモリ１４に書き込む様になっている。
このように、本体計時手段４にて積算された通電時間は、本体不揮発性メモリ５とリモコン不揮発性メモリ１４の２か所に、記憶されている。
【００１９】
商用電源の供給が停止した後、再び商用電源が供給されると、機器本体１は、本体不揮発性メモリ５に記憶された通電時間を読み出し、本体ＲＡＭ８に格納する。リモコン９も同様に、リモコン不揮発性メモリ１４に記憶された通電時間を読み出し、リモコンＲＡＭ１３に格納する。
【００２０】
その後、機器本体１は、通信手段２によって、リモコン９に対して、通電時間を、送信するように指示を出す。リモコン９は、通電時間を送信する指示を受けると、リモコンＲＡＭ１３に、記憶されている通電時間を、機器本体１に対して送信する。
【００２１】
機器本体１は、本体メモリー１に格納されている通電時間と、リモコン９から送られてきた通電時間を比較し、大きい方の時間を、本体メモリー１に格納するとともに、リモコン９に対してその時間を送信する。
リモコン９は、本体から送られてきた通電時間をリモコンＲＡＭ１３に格納する。
【００２２】
機器本体１による、通電時間の比較を行った後、機器本体１とリモコン９が共に、比較された通電時間をそれぞれの記憶手段に記憶すれば、本体不揮発性メモリ５に記憶されている通電時間は、工場からの出荷時はゼロになっているので、機器本体の本体制御部が、交換された場合、本体不揮発性メモリ５に記憶されている通電時間より、リモコンに記憶されている通電時間の方が大きい時間になるので、リモコン記憶手段10に記憶されている通電時間が、交換された新しい本体制御部に引き継がれることになる。
【００２３】
ところが、メンテナンス作業者が、故障個所を特定するため等の目的で、別のリモコンを持参し、暫定的に機器本体と繋いで運転を行うと、機器本体１の本体不揮発性メモリ５に記憶された値によって、その暫定利用のリモコンのリモコン不揮発性メモリ１４の記憶値が更新されてしまい、その記憶されたリモコンが他の現場で、新品の本体不揮発性メモリ５を搭載した機器本体と繋がれると、本体不揮発性メモリ５がリモコン不揮発性メモリ１４で書き換わってしまう。
【００２４】
そこで、機器本体１およびリモコン９は、それぞれの制御部がリセット、つまり商用電源が供給されてから２時間は、それぞれのメモリーに格納されている通電時間は、更新するが、それぞれの記憶手段の更新は行わないようにすることで、メンテナンス作業者が持参したリモコンのリモコン不揮発性メモリ１４に記憶された通電時間が更新される問題を解決する。
【００２５】
機器本体１は、リセットから２時間経過すると、本体ＲＡＭ８に格納されている通電時間と、本体不揮発性メモリ５に記憶されている通電時間を比較し、値が異なっていれば、本体ＲＡＭ８に格納されている通電時間を、本体不揮発性メモリ５に記憶する。
浴室空調機においては、常時商用電源が供給されているのが通常なので、メンテナンスにより、本体制御部もしくはリモコンが交換されても、２時間経過後には、大きい方の通電時間、つまり機器としての通電時間が、本体制御部およびリモコンの両者の記憶手段に保存される。
【００２６】
リモコン９は、リモコンＲＡＭ１３に格納された通電時間をリモコン表示手段１５に、表示する機能を有しており、リモコンＲＡＭ１３には、機器本体１により比較された結果の通電時間が格納されているため、リモコン９の表示手段１１には、機器本体１により比較された結果が表示される。
これにより、メンテナンス作業者は、機器の通電時間を確認することが出来る。
【００２７】
ここで、本体不揮発性メモリ５およびリモコン不揮発性メモリ１４には、通電時間だけでなく、ステータス情報も記憶されている。ステータス情報とは、点検が完了しているかどうかの情報で、通電時間が１０年以上かつ、点検完了前であれば、リモコン表示手段１５に点検を促す表示を行い、点検完了後は、それ以上、点検を促す表示は行わない。
【００２８】
また、メンテナンス作業者は、点検作業が完了するとリモコン９の、入力手段１６で作業の終了に伴う特定の入力を行う。特定の入力作業が行われると、リモコン９は、ステータス情報を、点検完了済みに変更し、通信手段１１によって、ステータス情報を機器本体１に送信する。
【００２９】
しかし、点検作業はブレーカーを遮断して、商用電源の供給を停止した状態でおこなわれるため、
前記の通り、リセットから２時間以内は、不揮発性メモリの更新は行わないため、メンテナンス作業者が、作業完了後、何らかの理由でブレーカーを遮断してしまうと、作業完了の情報が、正しく不揮発性メモリに保存されず、点検が完了しているにも関わらず、再びリモコン表示手段１５に、点検を促す表示が出てしまう。
【００３０】
そこで、機器本体１およびリモコン９は、リセットから２時間以内であっても、ステータス情報に変化があった場合は、通電時間およびステータス情報を記憶手段に保存するようにしてある。
【００３１】
次にフローチャートに基づいた動作を説明する。図２は機器本体１の動作フローで、図３はリモコン９の動作フローである。
【００３２】
機器本体１はリセット時に、２時間の計測タイマーを０でリセットする（Ｓ２０１）。このタイマーはリセットから２時間以内は、本体不揮発性メモリ５に、通電時間およびステータス情報を書き込まないようにするための用途で使用する。
同様にリモコン９も、リセット時に、２時間の計測タイマーを０でリセットする（Ｓ３０１）。
【００３３】
次に、機器本体１は、本体不揮発性メモリ５から、通電時間とステータス情報とを読み出し、本体ＲＡＭ８に格納する（Ｓ２０２）。
同様にリモコン９も、リモコン不揮発性メモリ１４から、通電時間とステータス情報とを読み出し、リモコンＲＡＭ１４に格納する（Ｓ３０２）。
【００３４】
次に、機器本体１は、リモコン９に対して、通電時間およびステータス情報の送信指示命令を送信する（Ｓ２０３）。
ここまでがリセット時に１度だけ実行される部分である。
【００３５】
リモコン９は、機器本体１から、通電時間およびステータス情報の送信指示命令を受信すると、リモコンＲＡＭ１３に格納されている通電時間およびステータス情報を、機器本体１に対して送信する。
リセット直後は、リモコンＲＡＭ１３には、リモコン不揮発性メモリ１４に保存されていた値が入っているため、リモコン９は、リモコン不揮発性メモリ１４に保存されている通電時間およびステータス情報を送信することになる。
【００３６】
機器本体１は、リモコン９から、通電時間およびステータス情報を受信すると（Ｓ２０４）、ステータス情報に変化があるかどうかを確認する（Ｓ２０５）。ステータスに変更があると機器本体１は、本体ＲＡＭ８に格納されているステータス情報を、リモコン９から受け取ったステータス情報で上書きし（Ｓ２０６）、リセットから２時間経過しているか、していないかに関わらず、本体不揮発性メモリ５へステータス情報を書き込む（Ｓ２０７）。
また、通電時間については、本体ＲＡＭ８に格納されている通電時間とリモコン９から受け取った時間を比較し（Ｓ２０８）、リモコン９から受け取った時間の方が大きければ、本体ＲＡＭ８に格納されている通電時間を、リモコン９から受け取った通電時間で上書きする（Ｓ２０９）。このとき、機器本体１は、リセットから２時間以上経過している場合のみ（Ｓ２１０）、通電時間を本体不揮発性メモリ５に書き込む（Ｓ２１１）。
これにより、リセット直後、つまり商用電源供給直後は、本体不揮発性メモリ５に保存されていた通電時間と、リモコン不揮発性メモリ１４に保存されていた通電時間で、大きい方の通電時間が本体ＲＡＭ８に格納されるが、本体不揮発性メモリ５に保存されている通電時間は更新されない。
【００３７】
機器本体１は、リモコン９から、通電時間およびステータス情報を受信すると（Ｓ２０４）、ステータスの変化の有無、通電時間の大小判定の結果、に関わらず、本体ＲＡＭ８に格納されている通電時間およびステータス情報をリモコン９に送信する（Ｓ２１２）。
リモコン９は、機器本体１から、通電時間およびステータス情報を受信すると（Ｓ３０７）、それらをリモコンＲＡＭ１３に格納する（Ｓ３０８）。この時点で、機器本体ＲＡＭ８の値とリモコンＲＡＭ１３の値は、必ず同じ値になる。
【００３８】
このとき、リモコン９は、リセットから２時間以上経過している場合のみ（Ｓ３０９）、通電時間をリモコン不揮発性メモリ１４に書き込む（Ｓ３１０）。
これにより、リセット直後、つまり商用電源供給直後は、本体不揮発性メモリ５に保存されていた通電時間と、リモコン不揮発性メモリ１４に保存されていた通電時間で、大きい方の通電時間がリモコンＲＡＭ１４に格納されるが、リモコン不揮発性メモリ１４に保存されている通電時間は更新されない。
【００３９】
通電時間は、機器本体１の本体計時手段４により、機器本体ＲＡＭ５に格納されている通電時間が、１時間単位でカウントアップされる（Ｓ２１３、Ｓ２１４）。このとき
通電時間がカウントアップされたとき、リセットから２時間以上経過していれば、本体不揮発性メモリ５に、通電時間が保存される（Ｓ２１６）
【００４０】
通電時間がカウントアップすると、機器本体１は、リモコン９に対して、本体ＲＡＭ５に格納されている通電時間およびステータス情報をリモコン９に送信する（Ｓ２１７）。
【００４１】
このようにして、機器本体１の本体ＲＡＭ５に格納されている通電時間およびステータス情報と、リモコン９のリモコンＲＡＭ１３に格納されている通電時間およびステータス情報は、常に同じ値になる仕組みになっている。
【００４２】
ここで、リモコン９は、通電時間が１０年以上かつ、ステータス情報が点検前であれば（Ｓ３１５）、リモコン表示手段１５に、点検を促すアラームを表示する（Ｓ３１６）。
【００４３】
点検完了後、メンテナンス者が、入力手段１６によって、点検完了操作を行うと（Ｓ３０３）、リモコンＲＡＭ１３に格納されているステータス情報は、点検完了済みになる（Ｓ３０４）。このとき、リセットから２時間経過していなくても、２時間以上経過したことにする（Ｓ３０５）。
同時に、機器本体１へ、リモコンＲＡＭ１３に格納されている、通電時間およびステータス情報を送信する（Ｓ３０５）。
【００４４】
機器本体１は、リモコン９から、通電時間およびステータス情報を受信すると、前述の通り、処理を行い（Ｓ２０４〜Ｓ２１１）、リモコン９に対して、本体ＲＡＭ８に格納されている通電時間およびステータス情報を送信する（Ｓ２１２）。このとき、本体ＲＡＭ８に格納されている、ステータス情報は、リモコン９から送られてきた値、つまり点検完了済みになっている。
【００４５】
リモコン９は、前述の通り、２時間以上経過したことになっている（Ｓ３０５）ため、機器本体１から通電時間およびステータス情報を、受信すると、受信した通電時間およびステータス情報をリモコン不揮発性メモリ１４に書き込む。
【００４６】
リモコン９は、入力手段１６によって、通電時間の表示操作が行われると（Ｓ３１３）、本体ＲＡＭ８に格納されている通電時間を、リモコン表示手段１５に表示する（Ｓ３１４）。
【００４７】
以上の処理により、メンテナンス時に本体側の本体制御部を交換した場合でも、メンテナンス作業者は、特別な注意をすることなく、メンテナンス作業を行っても、確実に運転時間が引き継ぐことが出来る。
【符号の説明】
【００４８】
１・・・・・機器本体
２・・・・・本体制御部
３・・・・・本体マイコン
４・・・・・本体計時手段
５・・・・・本体不揮発性メモリ
６・・・・・負荷
７・・・・・通信手段
８・・・・・本体ＲＡＭ
９・・・・・リモコン
１０・・・・リモコン制御部
１１・・・・通信手段
１２・・・・リモコンマイコン
１３・・・・リモコンＲＡＭ
１４・・・・リモコン不揮発性メモリ
１５・・・・リモコン表示手段
１６・・・・リモコン入力
【図１】
0005527713.tif 000002
【図２】
0005527713.tif 000003
【図３】
0005527713.tif 000004